(57)【要約】【課題】ＢＳデジタル放送専用のアンテナ環境下において、ＢＳデジタル放送及び１１０度ＣＳデジタル放送をともに受信する。【解決手段】ＢＳデジタル放送専用アンテナやマンション共聴などのために極端なハイ下がりになっている環境下で、１１０度ＣＳデジタル放送のチャネルを受信する際に、ロー側の周波数の強入力により複合３次歪の被りが受信帯域に入りＣ／Ｎが悪化して受信不良に陥ったときに、それを検出してチューナの周波数変換以降でベースバンドに近いアンプを設けてゲインを挙げることで、複合３次歪の被りを軽減して受信を可能にする。【選択図】  図１
2007318601.tif 000002
【特許請求の範囲】
【請求項１】
ＲＦアナログ信号を一定のレベルに増幅するＡＧＣアンプと、
ＡＧＣアンプから出力されるＲＦアナログ信号をベースバンド信号にダウンコンバートする周波数変換部と、
ベースバンド信号を増幅する利得可変ベースバンド・アンプと、
アナログ・ベースバンド信号をデジタル変換するＡＤ変換部と、
デジタル・ベースバンド信号における信号状態を判別し、該判別結果に基づいて前記利得可変ベースバンド・アンプにおける利得を設定する利得制御部と、
デジタル・ベースバンド信号を復調する復調部と、
を具備することを特徴とする受信装置。
【請求項２】
多波デジタル放送を受信する、
ことを特徴とする請求項１に記載の受信装置。
【請求項３】
ＢＳチューナにおいてダイレクト・コンバージョンによる周波数変換方式、及びバンク切り換えによる選局方式を適用して多波デジタル放送の各チャネルを選局する、
ことを特徴とする請求項２に記載の受信装置。
【請求項４】
前記利得制御部は、信号状態として、デジタル・ベースバンド信号のＣ／Ｎ（Ｃａｒｒｉｅｒ  ｔｏ  Ｎｏｉｓｅ  ｒａｔｉｏ：キャリア対ノイズ比）を検出する、
ことを特徴とする請求項１に記載の受信装置。
【請求項５】
前記利得制御部は、信号状態が良好なときは利得を０デシベルとし、信号状態が所定レベルを下回ると利得を所定デシベルまで吊り上げる、
ことを特徴とする請求項１に記載の受信装置。
【発明の詳細な説明】
【技術分野】
【０００１】
本発明は、テレビ放送などの高周波信号を受信する受信装置に係り、特に、ＢＳデジタル放送及び１１０度ＣＳデジタル放送をともに受信する受信装置に関する。
【０００２】
さらに詳しくは、本発明は、ＢＳデジタル放送専用のアンテナ環境下において、ＢＳデジタル放送及び１１０度ＣＳデジタル放送をともに受信する受信装置に係り、特に、ＢＳ放送専用アンテナやマンション共聴などのために極端なハイ下がりになっている環境下において１１０度ＣＳデジタル放送を受信処理する受信装置に関する。
【背景技術】
【０００３】
テレビジョンやラジオに代表される放送技術は、多数の人に同時に聴取されることを目的として、広範に普及している。テレビ放送やラジオ放送の多くは、放送局側から電波によって音声又は音声と映像を視聴者側の受信装置に送信することによって行なわれる。
【０００４】
テレビ・ラジオ放送事業は、放送局から送出される電波を地上に建設された電波塔を経由して視聴者が受信する「地上放送」に端を発するが、地上から人工衛星に向けて電波を発信し、人工衛星がその電波を増幅して地上に送り返す仕組みによって放送を行なう「衛星放送」も広範に普及してきている。衛星放送によれば、電波が建物や地形の影響で乱れることがなく、効率よく広域に放送することができるとともに、大容量の情報伝達があるといった利点がある。
【０００５】
衛星放送には、放送衛星（Ｂｒｏａｄｃａｓｔｉｎｇ  Ｓａｔｅｌｌｉｔｅ）を利用したＢＳ放送と、通信衛星（Ｃｏｍｍｕｎｉｃａｔｉｏｎｓ  Ｓａｔｅｌｌｉｔｅ）を利用したＣＳ放送の２通りがある。ＣＳ放送は、本来、企業など特定の相手に情報を送る通信を主目的としたものであったが、１９９２年の放送法改定によってＣＳも放送に利用できるようになり、ＢＳ放送との区別は事実上なくなった。また、近年では、放送波のデジタル化により、情報信号を圧縮し、限られた放送帯域を従来の数倍の容量に増やして使用できるようになったため、放送チャンネル数が大幅に増加した。特にＣＳ放送にとって多チャンネルは大きな特徴となっている。現在、東経１１０度、東経１２４度、東経１２８度にある各通信衛星を利用してＣＳデジタル放送が運用されている。
【０００６】
視聴者が衛星放送を利用するには、屋外にパラボラ・アンテナを設置し、この受信電波を宅内配線経由でチューナに取り込み、選局操作を行なう。多くの宅内配線では、偏波切り替えや衛星切り替えを行なうことがなく、そのまま分配、分岐、増幅が行なわれる。このため、ＢＳ放送専用のアンテナ環境であっても、ＢＳデジタル放送用のＢＳＡＴ−２ａと同じ東経１１０度方角に静止するＣＳ衛星（Ｎ−ＳＡＴ−１１０）を利用する１１０度ＣＳデジタル放送をそのまま受信することが可能である（１１０度ＣＳデジタル放送は２００２年３月１日より開始されている）。図５には、ＢＳ専用アンテナで受信した伝送信号の配置例を示している。図示のように、ＣＳから送信される電波の出力がＢＳよりも小さく、いわゆる「ハイ下がり」をなす受信環境であるが、チューナで充分受信処理することが可能であり、１１０度ＣＳ用のアンテナを特に設置せずにＣＳデジタル放送を利用する視聴者も多い。図８には、ＢＳ・ＣＳ１１０度デジタル放送の一受信形態を図解している。図示の例では、ＢＳ・ＣＳ１１０度デジタル放送伝送路にＢＳ放送専用の機器（例えば、ＢＳアナログ・チューナ搭載ＶＴＲ又はＤＶＤレコーダ）が挿入されている。ＢＳアナログ・チューナ搭載ＶＴＲ又はＤＶＤレコーダには、ＢＳの周波数帯域の損失を少なく伝送する分配回路が装備されているが、ＣＳ帯域では損失が大きくなるためＣＳ１１０度デジタル受信信号の劣化を招来する。
【０００７】
従来のバリキャップ・ダイオード（可変容量ダイオード）に流す電圧を変化させて選局するシンセサイザー方式のチューナにおいては（例えば、特許文献１を参照のこと）、バリキャップ・ダイオードの選局用電圧の上限を３２Ｖにするとともに、同調フィルタを可変にして、妨害波のレベルを下げることで、ＢＳデジタル放送の狭入力レベルを下げて１１０度ＣＳデジタル放送の低レベル信号の受信に歪による被りを改善して、ＢＳデジタル放送のアンテナ環境下でも１１０度ＣＳデジタル放送の受信を可能にすることができる。
【０００８】
また、チューナ内では、通常、高周波の放送信号をベースバンド信号にダウンコンバートするが、デジタル放送用チューナにおいては、中間周波数としてゼロ周波数（Ｚｅｒｏ−ＩＦ）を用いるダイレクト・コンバージョン方式が一般的となってきている（例えば、特許文献２を参照のこと）。ダイレクト・コンバージョン方式によれば、ＩＦフィルタを用いないため広帯域化が容易となり、回路構成の柔軟性が増す。デジタル衛星放送チューナ用のダイレクト・コンバージョンＩＣとして、例えばソニー株式会社製のＣＸＡ３６７８Ｒを挙げることができる。周波数変換にダイレクト・コンバージョン方式を用いた場合、同調フィルタは必要なくなるが、例えば５Ｖ程度の高い電源電圧にすることで、歪による被りが少なく、ＢＳデジタル放送のアンテナ環境下でも１１０度ＣＳデジタル放送の受信を可能にすることができる。
【０００９】
さらに最近のデジタル衛星放送用チューナでは、選局方法として、選局電圧にＩＣチップの電源電圧を使用し、インダクタを切り換えて周波数帯域を拡張するというバンク切り換え方式が主流となりつつある。例えば、上記のダイレクト・コンバージョンＩＣチップＣＸＡ３６７８Ｒを用いてバンク切り替え方式のチューナ回路を構成することができる（例えば、図６を参照のこと）。この場合、同調フィルタを使用できなくなることから、妨害波のレベル低下によりＢＳデジタル放送の狭入力レベルを下げるという操作を行なうことができない。また、電源電圧がさらに低い３．３Ｖになった場合、歪に弱くなることから、ＢＳデジタル放送のアンテナ環境下では１１０度ＣＳデジタル放送の受信が不可能になる。また、マンション共聴などにより受信信号が極端なハイ下がりになっている環境においても同様の問題が生じる。
【００１０】
要言すれば、ダイレクト・コンバージョンによる周波数変換方式やバンク切り換えによる選局方式を採用し、ＢＳデジタル衛星放送用のチューナとしての性能を向上させる結果として、これまでは特に設計を考慮しなくとも受信できていた１１０度ＣＳデジタル放送が受信不能になるという事態が生じる。ＢＳ放送用でＣＳ１１０度非対応のアンテナ、ケーブル、分配器、ブースターなどを伝送した場合であれば、本来、１１０度ＣＳデジタル放送は動作保証外であるが、視聴者には新製品のＢＳ・ＣＳ１１０度デジタル・チューナには不具合があるというイメージを与えてしまう懸念がある。
【００１１】
１つの対策として、高周波数の１１０度ＣＳデジタル放送から低周波数のＢＳデジタル放送にかけてロー下がりのチルトを形成するＢＳＣＳイコライザ（例えば、特許文献３を参照のこと）を、ＢＳデジタル放送用チューナの前段に外付けするという方法が挙げられる（図７を参照のこと）。しかしながら、この種の接栓タイプのイコライザを外付けする場合、１．２ｄＢ程度の挿入損があり、感度劣化を招来するという問題がある。
【００１２】
【特許文献１】特開２０００−２７８０４２号公報
【特許文献２】特開２００２−３２６８６４号公報
【特許文献３】特開２００１−５３５７０号公報
【発明の開示】
【発明が解決しようとする課題】
【００１３】
本発明の目的は、ＢＳ放送専用のアンテナ環境下において、ＢＳデジタル放送及び１１０度ＣＳデジタル放送をともに受信することができる、優れた受信装置を提供することにある。
【００１４】
本発明のさらなる目的は、ＢＳデジタル放送専用アンテナやマンション共聴などのために極端なハイ下がりになっている環境下において１１０度ＣＳデジタル放送を好適に受信処理することができる、優れた受信装置を提供することにある。
【課題を解決するための手段】
【００１５】
本発明は、上記課題を参酌してなされたものであり、ＲＦアナログ信号を一定のレベルに増幅するＡＧＣアンプと、
ＡＧＣアンプから出力されるＲＦアナログ信号をベースバンド信号にダウンコンバートする周波数変換部と、
ベースバンド信号を増幅する利得可変ベースバンド・アンプと、
アナログ・ベースバンド信号をデジタル変換するＡＤ変換部と、
デジタル・ベースバンド信号における信号状態を判別し、該判別結果に基づいて前記利得可変ベースバンド・アンプにおける利得を設定する利得制御部と、
デジタル・ベースバンド信号を復調する復調部と、
を具備することを特徴とする受信装置である。
【００１６】
ＢＳ放送やＣＳ放送といった衛星放送の運用により、効率よく広域に放送し、大容量の情報伝達を実現することができる。このうち、ＣＳ衛星（Ｎ−ＳＡＴ−１１０）はＢＳ衛星の軌道と同じ東経１１０度に打ち上げられ、１１０度ＣＳデジタル放送ではＢＳデジタル放送と同じ右旋円偏波からなる電波で放送されていることから、ＢＳ専用アンテナを用いて１１０度ＣＳデジタル放送も受信するという視聴形態が実在していた。
【００１７】
ところが、ＢＳチューナにおいてダイレクト・コンバージョンによる周波数変換方式やバンク切り換えによる選局方式を採用し、さらに電源電圧が低電圧化した場合、従来は受信できていた１１０度ＣＳデジタル放送が受信不能になるという事態が生じる。また、マンション共聴などにより受信信号が極端なハイ下がりになっている環境においても同様に、ＢＳチューナでは１１０度ＣＳデジタル放送を受信できないことがある。
【００１８】
これに対し、本発明に係る受信装置は、ＢＳデジタル放送及び１１０度ＣＳデジタル放送といった多波デジタル放送を受信するチューナとして構成されるが、ローエンド側の放送波と比較して極端なハイ下がりとなるときには、受信信号を周波数変換した以降にベースバンド信号で利得を増加することで、ハイ側の１１０度ＣＳデジタル放送も受信できる。
【００１９】
具体的には、ＲＦアナログ信号をダウンコンバートする周波数変換部の後段において、ベースバンド信号を増幅するベースバンド・アンプを配設して、その利得を増加する。これによって、周波数変換部の前段におけるＡＧＣアンプにおける利得が減少するので、周波数変換部への入力レベルが抑制され、この結果、複合３次歪を改善することができる。
【００２０】
ところが、周波数変換部の後段のベースバンド・アンプの利得を常に高くすると、ＡＧＣアンプからこのベースバンド・アンプの直前までの各回路モジュールが持つ雑音も一様に増幅してしまうことから、後段のＰＳＫ復調部における所要Ｃ／Ｎ（Ｃａｒｒｉｅｒ  ｔｏ  Ｎｏｉｓｅ  ｒａｔｉｏ：キャリア対ノイズ比）の悪化という新たな問題を招来する。
【００２１】
何故ならば、複合３次歪により発生した妨害信号は、同一チャネル妨害Ｄ／Ｕ（Ｄｅｓｉｒｅｄ  ｔｏ  Ｕｎｄｅｓｉｒｅｄ：所望信号対妨害信号比）として被ってくるため、実際のＣ／Ｎが受信可能であるにも拘らず、ＰＳＫ復調部ではＣ／Ｎが劣化して受信障害になるからである。
【００２２】
そこで、周波数変換部の後段のベースバンド・アンプを利得可変とし、ＰＳＫ復調部における信号状態を判別し、その判別結果に基づいて利得可変ベースバンド・アンプの利得を切り換えるようにする。すなわち、ＰＳＫ復調部内では、Ｃ／Ｎを検出し、Ｃ／Ｎが所定の閾値以下に劣化すると、周波数変換部後段の利得可変ベースバンド・アンプの利得を吊り上げるための指示信号を帰還する。
【００２３】
Ｃ／Ｎが所定の閾値まで低下した時点で周波数変換部後段の利得可変ベースバンド・アンプの利得を吊り上げると、Ｄ／Ｕが同一であってもＣ／Ｎが改善し、言い換えれば、所要Ｃ／Ｎを満たすＤ／Ｕ区間が拡張する。
【発明の効果】
【００２４】
本発明によれば、ＢＳ放送専用のアンテナ環境下において、ＢＳデジタル放送及び１１０度ＣＳデジタル放送をともに受信することができる、優れた受信装置を提供することができる。
【００２５】
また、本発明によれば、ＢＳ放送専用アンテナやマンション共聴などのために極端なハイ下がりになっている環境下において１１０度ＣＳデジタル放送を好適に受信処理することができる、優れた受信装置を提供することができる。
【００２６】
本発明を適用したデジタル放送チューナは、多波デジタル放送を受信する際に、ローエンド側の放送波と比較して極端なハイ下がりとなる場合に、Ｃ／Ｎの劣化を検出し、周波数変換以降のベースバンドでゲインを増加することで受信を可能にすることができる。
【００２７】
本発明のさらに他の目的、特徴や利点は、後述する本発明の実施形態や添付する図面に基づくより詳細な説明によって明らかになるであろう。
【発明を実施するための最良の形態】
【００２８】
以下、図面を参照しながら本発明の実施形態について詳解する。
【００２９】
ＣＳ衛星（Ｎ−ＳＡＴ−１１０）は、ＢＳ衛星の軌道と同じ東経１１０度に打ち上げられ、１１０度ＣＳデジタル放送ではＢＳデジタル放送と同じ右旋円偏波からなる電波で放送されている。したがって、１１０度ＣＳデジタル放送用のアンテナ及びチューナでもＢＳデジタル放送が受信可能であり、１１０度ＣＳデジタル放送対応のアンテナ及びチューナ（内蔵テレビ）を揃えれば、ＢＳデジタル放送に加えて１１０度ＣＳデジタル放送を視聴することができる。
【００３０】
一方、ＢＳ専用アンテナでも周波数帯域が高周波側に伸びている場合があることから、図５に示したように伝送路の周波数特性が極端にハイ落ちになっていたとしても、１１０度ＣＳデジタル放送（例えばＮＤ−２４の放送）がチューナの感度以上のレベルであれば受信可能である。このため、１１０度ＣＳデジタル放送対応のアンテナ及び伝送経路を装備せず、ＢＳ専用アンテナを用いて１１０度ＣＳデジタル放送も受信するという視聴者が少なからず存在するというが実情である。
【００３１】
しかしながら、ＢＳ・ＣＳ１１０度デジタル・チューナにおいてダイレクト・コンバージョンによる周波数変換方式やバンク切り換えによる選局方式を採用し、さらに電源電圧が低電圧化した場合や、マンション共聴などにより受信信号が極端なハイ下がりになっている環境においては、受信信号のレベル差から、ロー側の周波数であるＢＳデジタル放送波の強入力のためにハイ側の周波数である１１０度ＣＳデジタル放送波の受信信号に複合３次歪（Ｃｏｍｐｏｓｉｔｅ  Ｔｒｉｐｌｅ  Ｂｅａｔ：ＣＴＢ）が生じて受信できなくなるという不具合がある。
【００３２】
本発明に係る受信装置は、ＢＳデジタル放送及び１１０度ＣＳデジタル放送といった多波デジタル放送を受信する際に、ローエンド側の放送波と比較して極端なハイ下がりとなるときには、周波数変換以降のベースバンドでゲインを増加することで、ハイ側の１１０度ＣＳデジタル放送も受信できるように構成されている。
【００３３】
図１には、本発明の一実施形態に係る受信装置の構成を示している。図示の受信装置は、ダイレクト・コンバージョンによる周波数変換方式並びにバンク切り換えによる選局方式を採用した、ＢＳデジタル放送及び１１０度ＣＳデジタル放送の多波デジタル放送を受信するチューナとして動作することができる。以下では、図２に示したレベル・ダイアグラムを参照しながら、受信装置内の動作について説明する。
【００３４】
図示しないＢＳアンテナで受信された放送波、第１中間周波数（１０２２ＭＨｚ〜２０７２ＭＨｚ）に変換された後、例えばＦ型コネクタの入力端子１７から当該受信装置に入力される。
【００３５】
この入力信号は、ハイパス・フィルタ（ＨＰＦ）１にて地上波放送などの不要成分を除去し、ＲＦアンプ２にて約１０ｄＢだけ増幅される。その後、外付けＡＧＣアンプに相当する可変アッテネータ３で信号レベルのダイナミック・レンジを狭めて、ダウンコンバータ１４に入力される。
【００３６】
本実施形態では、ダウンコンバータ１４は、例えばソニー株式会社製のＺｅｒｏＩＦ  ＩＣチップであるＣＸＡ３６７８Ｒなどで構成され、ＲＦ信号をダイレクト・コンバージョン方式によりアナログ・ベースバンド信号にダウンコンバートする。
【００３７】
ダウンコンバータ１４内では、まずＡＧＣアンプ４により入力信号のレベルを一定にし、このレベルで周波数変換部５に入力される。また、参照番号６〜９からなるＰＬＬ発振回路から周波数変換部５に、同一周波数のＣＷ（Ｃｏｎｔｉｎｕｏｕｓ  Ｗａｖｅ：無変調波状態）信号で注入される。そして、周波数変換部５では、入力信号とＣＷ信号を周波数合成して、ＩＱ軸成分からなるアナログ・ベースバンド信号を出力する。
【００３８】
ダウンコンバートした直後のベースバンド信号は、ベースバンド・アンプ１０で増幅され、ローパス・フィルタ（ＬＰＦ）１１で隣接周波数帯域の不要信号成分が除去され、さらに利得可変ベースバンド・アンプ１２及び利得固定ベースバンド・アンプ１３を通過した後に、ダウンコンバータ１４から出力される。図２に示したレベル・ダイアグラムでは、利得可変ベースバンド・アンプ１２の利得を０ｄＢとしている。
【００３９】
ダウンコンバータ１４から出力されるＩＱアナログ・ベースバンド信号は、外付けローパス・フィルタ（ＬＰＦ）１５で隣接信号を除去した後に、ＰＳＫ復調部１６に入力され、デジタル信号に変換してから、８ＰＳＫ（８  Ｐｈａｓｅ  Ｓｈｉｆｔ  Ｋｅｙｉｎｇ）、ＱＰＳＫ（Ｑｕａｄｒａｔｕｒｅ  ＰＳＫ）、又はＢＰＳＫ（Ｂｉｐｈａｓｅ  ＰＳＫ）といったＰＳＫ復調処理が施される。ＰＳＫ復調部１６は、例えば、μＰＤ６１５２２ＧＣといった復調用ＩＣチップで構成することができる。また、ＰＳＫ復調部１６では、可変アッテネータ３及びＡＧＣアンプ４における自動利得制御（Ａｕｔｏ  Ｇａｉｎ  Ｃｏｎｔｒｏｌ）や、利得可変ベースバンド・アンプ１２における利得設定なども行なわれる。
【００４０】
ここで、例えば図５に示したようなＢＳデジタル放送及び１１０度ＣＳデジタル放送の各チャネルの信号配置及びチャネル間の信号レベルの差がある場合、例えばＮＤ−２４チャネルを受信しようとするときには、このチャネルに対してＡＧＣが働くので、周波数軸上で遠く離れているＢＳデジタル放送は強入力で回路を通過することになる。その際、ダウンコンバータ１４内では、ＡＧＣアンプ４、周波数変換部５、ベースバンド・アンプ１０が最も影響を受けて複合３次歪を生じ易い。とりわけ周波数変換部５では強入力に脆弱である。そこで、本実施形態では、利得可変ベースバンド・アンプ１２の利得を上げて、複合３次歪を改善するようにしている。
【００４１】
図３には、この場合の受信装置内における処理信号のレベル・ダイアグラムを示している。利得可変ベースバンド・アンプ１２において利得が増加する結果として、ＡＧＣアンプ４における利得が減少するので、図３に示すように、周波数変換部５への入力レベルが抑制され、この結果、複合３次歪が改善することが期待される。
【００４２】
ところが、利得可変ベースバンド・アンプ１２において利得を常に増加する場合、ダウンコンバータ１４内において、ＡＧＣアンプ４からローパス・フィルタ１１に至る各回路モジュールにおける雑音も、利得可変ベースバンド・アンプ１２において一様に増幅してしまうことになる。このような場合、後段のＰＳＫ復調部１６における所要Ｃ／Ｎ（Ｃａｒｒｉｅｒ  ｔｏ  Ｎｏｉｓｅ  ｒａｔｉｏ：キャリア対ノイズ比）の悪化を招来する。
【００４３】
そこで、利得可変ベースバンド・アンプ１２における利得を常に高くするのではなく、ＰＳＫ復調部１６における信号状態を判別し、その判別結果に基づいて利得可変ベースバンド・アンプ１２の利得を切り換えるようにしている。
【００４４】
複合３次歪により発生した妨害信号は、同一チャネル妨害Ｄ／Ｕ（Ｄｅｓｉｒｅｄ  ｔｏ  Ｕｎｄｅｓｉｒｅｄ：所望信号対妨害信号比）として被ってくるため、実際のＣ／Ｎが受信可能であるにも拘らず、ＰＳＫ復調部１６ではＣ／Ｎが劣化して受信障害になる。そこで、ＰＳＫ復調部１６内では、Ｃ／Ｎを検出し、Ｃ／Ｎが所定の閾値以下に劣化すると、利得可変ベースバンド・アンプ１２の利得を吊り上げるための指示信号を帰還している。
【００４５】
図４には、ＰＳＫ復調部１６におけるＣ／Ｎ劣化の検出に応じて利得可変ベースバンド・アンプ１２の利得を吊り上げる動作を示している。同図から判るように、Ｃ／Ｎが横点線で示した閾値まで低下した時点で、利得可変ベースバンド・アンプ１２の利得を０ｄＢから４．６ｄＢに吊り上げると、Ｃ／ＮとＤ／Ｎの関係曲線が乗り変わり、Ｄ／Ｕが同一であってもＣ／Ｎが改善する。具体的には、２本の縦点線で挟んだ領域まで、所要Ｃ／Ｎを満たすＤ／Ｕ区間が拡張する。
【００４６】
但し、この方法では、所要Ｃ／Ｎが劣化するという副作用があり、チューナとしては弱電界時の感度劣化などによるＣ／Ｎ劣化への対応が弱くなる。利得可変ベースバンド・アンプ１２の利得を闇雲に増加すればよいというものでもない。
【００４７】
また、接栓タイプのイコライザ（前述並びに特許文献３を参照のこと）を外付けする場合でも挿入損失があり、雑音指数がロスする分だけ劣化するので、同様に感度劣化の問題がある。しかも、この場合は低いチャネルほど挿入損失は増加するため、感度劣化も増加する。これに対し、本実施形態によれば、感度劣化は一律であり、部品を後付する必要もないので、コストメリットがある。
【産業上の利用可能性】
【００４８】
以上、特定の実施形態を参照しながら、本発明について詳解してきた。しかしながら、本発明の要旨を逸脱しない範囲で当業者が該実施形態の修正や代用を成し得ることは自明である。
【００４９】
本明細書では、ＢＳデジタル放送専用のアンテナを用いて極端なハイ下がりの特性を持つ受信環境下において１１０度ＣＳデジタル放送を受信するデジタル放送チューナに本発明を適用した実施形態を中心に説明してきたが、本発明の要旨はこれに限定されるものではない。ハイ下がりとなるアンテナ環境下において、他のデジタル放送を組み合わせた多波デジタル放送を受信するチューナに対して、同様に本発明を適用することができる。
【００５０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００５１】
【図１】図１は、本発明の一実施形態に係る受信装置の構成を示した図である。
【図２】図２は、図１に示した受信装置内における処理信号のレベル・ダイアグラムを示した図である。
【図３】図３は、ベースバンド・アンプ１２の利得を調整して複合３次歪を改善する場合の図１に示した受信装置内における処理信号のレベル・ダイアグラムを示した図である。
【図４】図４は、ＰＳＫ復調部１６におけるＣ／Ｎ劣化の検出に応じて利得可変ベースバンド・アンプ１２の利得を吊り上げる動作を示している。
【図５】図５は、ＢＳ専用アンテナで受信した伝送信号の配置例を示した図である。
【図６】図６は、ダイレクト・コンバージョンＩＣチップＣＸＡ３６７８Ｒを用いてバンク切り替え方式のチューナ回路の構成例を示した図である。
【図７】図７は、高周波数の１１０度ＣＳデジタル放送から低周波数のＢＳデジタル放送にかけてロー下がりのチルトを形成するＢＳＣＳイコライザの特性を示した図である。
【図８】図８は、ＢＳ・ＣＳ１１０度デジタル放送の一受信形態を示した図である。
【符号の説明】
【００５２】
１…ハイパス・フィルタ（ＨＰＦ）
２…ＲＦアンプ
３…可変アッテネータ
４…ＡＧＣアンプ
５…周波数変換部
６〜９…ＰＬＬ発振回路
１０…ベースバンド・アンプ
１１…ローパス・フィルタ（ＬＰＦ）
１２…利得可変ベースバンド・アンプ
１３…利得固定ベースバンド・アンプ
１４…ダウンコンバータ
１５…ローパス・フィルタ（ＬＰＦ）
１６…ＰＳＫ復調部
１７…入力端子
【図１】
2007318601.tif 000003
【図２】
2007318601.tif 000004
【図３】
2007318601.tif 000005
【図４】
2007318601.tif 000006
【図５】
2007318601.tif 000007
【図６】
2007318601.tif 000008
【図７】
2007318601.tif 000009
【図８】
2007318601.tif 000010